(57)【要約】【課題】化粧具の取り出し及び収納をより簡単な操作で手間をかけずに行うこと。【解決手段】容器本体及び蓋体の後方をヒンジにて蝶着し、前記容器本体及び前記蓋体の前方に配置されるフックピースを押し込む動作と連動して前記容器本体と前記蓋体との係止を解除して開閉自在に構成されるコンパクト容器であって、前記フックピースに、化粧具を押し上げる押上部材を前記容器本体内部方向に延設し、前記押上部材の中間に、該押上部材の先端部を上方に屈曲させるヒンジ部を形成し、前記容器本体に、前記フックピースが押し込まれたとき前記先端部を上方に移動させる傾斜部を形成することを特徴とする。【選択図】図１
2008079776.tif 000002
【特許請求の範囲】
【請求項１】
容器本体及び蓋体の後方をヒンジにて蝶着し、前記容器本体及び前記蓋体の前方に配置されるフックピースを押し込む動作と連動して前記容器本体と前記蓋体との係止を解除して開閉自在に構成されるコンパクト容器であって、
前記フックピースに、化粧具を押し上げる押上部材を前記容器本体内部方向に延設し、
前記押上部材の中間に、該押上部材の先端部を上方に屈曲させるヒンジ部を形成し、
前記容器本体に、前記フックピースが押し込まれたとき前記先端部を上方に移動させる傾斜部を形成することを特徴とするコンパクト容器。
【発明の詳細な説明】
【技術分野】
【０００１】
本発明は、パフ、スポンジ等の化粧具を押し上げる押上部材を有するコンパクト容器に関する。
【背景技術】
【０００２】
従来、コンパクト容器のフックピースの下部を容器内部へ延設し、押上部材としたものがある（例えば、特許文献１、２参照）。これらの押上部材は、蓋体の係合を解除した後のフックピースの下部を使用者が更に押し込むと、容器本体内に収納される化粧具を押し上げる。このように、フックピースに押上部材を配設すると、容器本体に収納した化粧具を容器外に突出させることができ、化粧具を容易に取り出すことができる。
【０００３】
【特許文献１】実開昭６２−２０４５０２号公報
【特許文献２】実開昭６３−２８４０７号公報
【発明の開示】
【発明が解決しようとする課題】
【０００４】
しかしながら、上記従来の技術においては、次のような課題があった。
【０００５】
特許文献１では、フックピースの姿勢を保持する手段がない。このため、フックピースの下部を押し込み、押上部材が化粧具を容器本体内から突出させた時、使用者がフックピースを押さえていないと、化粧具が自重により押上部材を介してフックピースを下げて、容器本体内に収納されてしまう。このため、化粧具を取るまで片方の手でフックピースを押さえておく必要があり、化粧具の取り出し作業に手間がかかるという問題があった。
【０００６】
特許文献２では、フックピースの姿勢を保持するため係合用突子を設けている。すると、フックピースの下部を押し込んだ時に係合用突子が、容器本体に形成される係合用凹部に嵌まり込む。これにより、フックピースの姿勢が保持される。
【０００７】
ここで、係合用突子を係合用凹部に嵌めるためには、使用者が確実に嵌め込むために相応の力を加える必要がある。また、化粧具を収納する時は、フックピースの押上部材に相応の力を加えて保持を解除しないと、化粧具が容器本体内に収納されない。このため、化粧具を取り出すときも収納するときも、手間がかかるといった問題があった。
【０００８】
本発明の目的は、化粧具の取り出し及び収納をより簡単な操作で手間をかけずに行うことである。
【課題を解決するための手段】
【０００９】
前記目的を達成するための本発明のコンパクト容器は、容器本体及び蓋体の後方をヒンジにて蝶着し、前記容器本体及び前記蓋体の前方に配置されるフックピースを押し込む動作と連動して前記容器本体と前記蓋体との係止を解除して開閉自在に構成されるコンパクト容器であって、前記フックピースに、化粧具を押し上げる押上部材を前記容器本体内部方向に延設し、前記押上部材の中間に、該押上部材の先端部を上方に屈曲させるヒンジ部を形成し、前記容器本体に、前記フックピースが押し込まれたとき前記先端部を上方に移動させる傾斜部を形成することを特徴とする。
【発明の効果】
【００１０】
以上の構成とすると、使用者が前記フックピースを押し込むと、その動作に連動して、ヒンジ部が押上部材の先端部を上方に移動させる。ここで、押上部材上には化粧具が載置されているため、化粧具が容器本体内から突出する。また、フックピースを押し込む動作は、蓋体の係止を外す動作であるため、特別な動作ではなく、手間がかからない。この結果、化粧具の取り出し及び収納をより簡単な操作で手間をかけずに行うことができる。
【発明を実施するための最良の形態】
【００１１】
本発明の一実施形態を図を用いて具体的に説明する。図１は蓋体を閉じたときのコンパクト容器の断面図であり、図２は容器本体とフックピースとの関係を説明する斜視図であり、図３は蓋体を開いたときのコンパクト容器の断面図である。尚、図３（ｂ）は図３（ａ）の要部の拡大図である。
【００１２】
（コンパクト容器１の概略構成）
図１に示すように、コンパクト容器１は、化粧具Ｐを収納する容器本体10と、容器本体10に対して後方で蝶着されて蓋となる蓋体20と、容器本体10及び蓋体20の前方に係合して蓋体20の開閉を司るフックピース30とを有する。
【００１３】
コンパクト容器１は、図１に示すように、後方が容器本体10のヒンジ部11と蓋体20のヒンジ部21とが軸Ａにより接続され、蝶着される。また、前方では容器本体10の係止突起12と蓋体20の係止突起22とが互いに係止されて、蓋体20が容器本体10に止められる。更に、それらの係止を解除するためのフックピース30が、摺動突起31を容器本体10の摺動溝13に入り込むことで係合している。次に、各部について更に詳細に説明する。
【００１４】
容器本体10は、図１及び図２に示すように、その前方にフックピース30が摺動可能に嵌め込まれるフックピース設置部14が形成される。また、化粧具Ｐを収納する収納部15が形成される。フックピース設置部14と収納部15は概ね前方の壁16で仕切られているが、フックピース設置部14の下面から収納部15の前方下面に、図２に示す、フックピース30の押上部材33が通る穴16ａが形成される。
【００１５】
また、穴16ａから押上部材33が入り込む位置には、収納部15の押上部材載置溝15ａが形成される。押上部材載置溝15ａは、図１及び図２に示すように、傾斜部17を挟んで段差が形成され、穴16ａから容器内部方向にいくと高くなるように構成される。
【００１６】
蓋体20は、図１に示すように、その下面に鏡Ｍが付帯される。また、蓋体20が閉じた状態において、蓋体20前方でフックピース設置部14にある係止突起22の下部が、フックピース30の後述する押上片32の上面と当接する。
【００１７】
フックピース30は、図２に示すように、下面に摺動溝13に入り込む摺動突起31が形成される。また、フックピース30の前方の壁の背面には、壁16に先端部が当接するように突出した押上片32が形成される。押上片32は、フックピース30が押圧されて撓むことで、蓋体20の係止突起22の下部を押し上げる。
【００１８】
また、フックピース30の下部には、化粧具Ｐを押し上げる押上部材33が容器本体10内部方向に延設される。押上部材33は、フックピース30の下方で収納部15のある側に、穴16ａを通って収納部15の押上部材載置溝15ａに入り込む。また押上部材33の中間には、押上部材33の先端部33ｂを上方に屈曲させるヒンジ部33ａが形成され、ヒンジ部33ａと先端部33ｂとの間の下面には傾斜面33ｃが形成される。
【００１９】
（コンパクト容器１の開閉）
以上の構成により、コンパクト容器１の開閉は次のようになる。まず、図１に示すように蓋体20が閉じた状態においては、係止突起12と係止突起22とが互いに係止している。
【００２０】
蓋体20を開ける際には、フックピース30を容器本体10内部方向に押圧する。すると、フックピース30の押上片32が、壁16に当接しつつ上方に移動する。すると、押上片32の上面が蓋体20の係止突起22の下部を押し上げる。このような力が働くことにより、係止突起22と係止突起12との係止が外れる。
【００２１】
蓋体20を再び閉じるときには、蓋体20を容器本体10に対して押圧する。すると、係止突起22と係止突起12とが再び係止する。これにより、蓋体20が容器本体10に対して閉じることになる。
【００２２】
（フックピース30の化粧具保持構成）
次に、フックピース30が化粧具Ｐを保持する構成について、詳細に説明する。
【００２３】
使用者がフックピース30を押圧して、フックピース30の摺動突起31が摺動溝13に沿って移動する。すると、図３に示すように、押上部材載置溝15ａに形成される傾斜部17上に、押上部材33の傾斜面33ｃが押し付けられる。ここで、ヒンジ部33ａが形成されることにより、ヒンジ部33ａで押上部材33が折れ曲がり、傾斜面33ｃが傾斜部17上を摺動しつつ、押上部材33の先端部33ｂが上方へ移動する。この結果、押上部材33が化粧具Ｐを押し上げることになる。このように、容器本体10の収納部15から突出した化粧具Ｐは、使用者から取り出しやすい状態になる。
【００２４】
ここで、図３（ｂ）に示すように、フックピース30を更に容器本体方向に押し込むと、フックピース30の押上部材33の傾斜面33ｃの下端33ｄが、傾斜部17を通り超え、押上部材載置溝15ａの下面における一段高くなった上面15ａ１に乗り上げる。上面15ａ１に乗り上げた傾斜面33ｃの下端33ｄは一端止まるため、下端33ｄにかかる摩擦は、動摩擦抵抗から静摩擦抵抗に変化する。静摩擦抵抗は動摩擦抵抗よりも大きいため、傾斜面33ｃの下端33ｄは、面15ａ１上で一端停止する。この状態において、押上部材33は化粧具Ｐを押し上げたまま停止し、化粧具Ｐを収納部15から突出した取りやすい位置に保持することとなる。
【００２５】
また、フックピース30の姿勢を摩擦抵抗によって保持すると、従来の係合用突子を係合用凹部に嵌める構成に比べて、容易にフックピース30の姿勢が保持された状態を解除することができる。例えば、押上部材33上に使用後の化粧具Ｐを置き、使用者が軽く化粧具Ｐを下方に押すと、傾斜面33ｃの下端33ｄと押上部材載置溝15ａの上面15ａ１との静摩擦抵抗の値を超え、傾斜面33ｃの下端33ｄが図３（ｂ）における左方に移動する。これにより、再び傾斜面33ｃが傾斜部17上を摺動して戻り、押上部材33の先端部33ｂを元の位置に下げることができる。
【００２６】
また、フックピース30に形成される押上部材33は、フックピース30と一体的に形成される。このため、金型を加工することでヒンジ部33ａの強さや傾斜面33ｃの傾斜を容易に変更することができ、保持力や先端部33ｂの上がる高さを容易に調整することができる。
【００２７】
以上ように、本実施形態の構成とすると、使用者がフックピース30を押し込むと、その動作に連動して、ヒンジ部33ａが押上部材33の先端部33ｂを上方に移動させる。ここで、押上部材33上には化粧具Ｐが載置されているため、化粧具Ｐが容器本体10内から突出する。また、フックピース30を押し込む動作は、蓋体20の係止を外す動作であるため、化粧具Ｐを突出させるための特別な動作ではなく、手間がかからない。この結果、化粧具Ｐの取り出し及び収納をより簡単な操作で手間をかけずに行うことができる。
【産業上の利用可能性】
【００２８】
本発明は、パフ、スポンジ等の化粧具を押し上げる押上部材を有するコンパクト容器に利用することができる。
【図面の簡単な説明】
【００２９】
【図１】蓋体を閉じたときのコンパクト容器の断面図。
【図２】容器本体とフックピースとの関係を説明する斜視図。
【図３】蓋体を開いたときのコンパクト容器の断面図。
【符号の説明】
【００３０】
Ａ…軸、Ｐ…化粧具、１…コンパクト容器、10…容器本体、11…ヒンジ部、12…係止突起、13…摺動溝、14…フックピース設置部、15…収納部、15ａ…押上部材載置溝、15ａ１…面、16…壁、16ａ…穴、17…傾斜部、20…蓋体、21…ヒンジ部、22…係止突起、30…フックピース、31…摺動突起、32…押上片、33…押上部材、33ａ…ヒンジ部、33ｂ…先端部、33ｃ…傾斜面、33ｄ…下端
【図１】
2008079776.tif 000003
【図２】
2008079776.tif 000004
【図３】
2008079776.tif 000005